(57)【要約】      （修正有）【課題】  ラミネートフィルム内への保護紙葉体の挿入作業を自動化するラミネートフィルムへの挿入方法と装置を提供する。【解決手段】  前端が接続されている上側紙葉体Ｆ１と下側紙葉体Ｆ２とを有するラミネートフィルムＬＦ内に、ラミネートフィルムとは別の保護紙葉体Ａを挿入する方法。ラミネートフィルムの上側紙葉体と下側紙葉体の後端部を分離させて開く分離ステップ、開いた上側紙葉体と下側紙葉体との間に保護紙葉体の前方を挿入し、該保護紙葉体の後端部を露出させる挿入ステップ、保護紙葉体、上側紙葉体及び下側紙葉体の後端部を一緒に前方に押圧し、少なくとも保護紙葉体の後端部が上側紙葉体と下側紙葉体の後端部より前方に位置するように挿入する押込ステップ、及び押込力を開放し、上側紙葉体と下側紙葉体を平面状態に弾性復帰させて保護紙葉体を該上側紙葉体と下側紙葉体との間に挟み込む挿入完了ステップを有する。【選択図】  図１０
2006160429.tif 000002
【特許請求の範囲】
【請求項１】
前端が接続されている上側紙葉体と下側紙葉体とを有するラミネートフィルム内に、ラミネートフィルムとは別の保護紙葉体を挿入する方法であって、
ラミネートフィルムの上側紙葉体と下側紙葉体の後端部を分離させて開く分離ステップ、
開いた上側紙葉体と下側紙葉体との間に保護紙葉体の前方を挿入し、該保護紙葉体の後端部を露出させる挿入ステップ、
保護紙葉体、上側紙葉体及び下側紙葉体の後端部を一緒に前方に押圧し、上側紙葉体と下側紙葉体の後端部を弾性変形させながら、少なくとも保護紙葉体の後端部が上側紙葉体と下側紙葉体の後端部より前方に位置するように挿入する押込ステップ、及び
押込力を開放し、上側紙葉体と下側紙葉体を平面状態に弾性復帰させて保護紙葉体を該上側紙葉体と下側紙葉体との間に挟み込む挿入完了ステップ、
を有することを特徴とする保護紙葉体のラミネートフィルムへの挿入方法。
【請求項２】
前端が接続されている上側紙葉体と下側紙葉体とを有するラミネートフィルムを前方に向けて搬送するラミネートフィルム搬送手段と、
このラミネートフィルム搬送手段で搬送されるラミネートフィルムの前端部と係合し、該ラミネートフィルムの停止位置を定める停止手段と、
上記停止位置で停止中のラミネートフィルムの上側紙葉体と下側紙葉体の後端部を分離して開く分離開放手段と、
保護紙葉体を前方に向けて搬送し、上記停止位置で停止し後端部が分離して開いている上側紙葉体と下側紙葉体の間に該保護紙葉体の前部を挿入して後端部を露出させる紙葉体搬送手段と、
上記停止位置で停止中の上側紙葉体、下側紙葉体及び保護紙葉体の後端部を一緒に前方に押圧し、上側紙葉体と下側紙葉体の後端部を弾性変形させながら、少なくとも保護紙葉体の後端部が上側紙葉体と下側紙葉体の後端部より前方に位置するように挿入する押込挿入手段と、
上記押込挿入手段による押込力を開放し上側紙葉体と下側紙葉体を平面状態に復帰させた状態で、上記保護紙葉体を挟み込んだ上側紙葉体と下側紙葉体を加熱し溶着する加熱手段と、
を備えることを特徴とするラミネート装置。
【請求項３】
請求項２記載のラミネート装置において、
上記押込挿入手段は、ラミネートフィルム及び保護紙葉体の搬送平面に交わらずに直交する回転軸回りに回転可能であり、ラミネートフィルム及び保護紙葉体の後端部に接触する押圧面を具備する押込板を有する回転式押圧手段からなっているラミネート装置。
【請求項４】
請求項２または３記載のラミネート装置において、
上記停止手段は、ラミネートフィルムの前後寸法に応じてラミネートフィルムの前端部との係合位置を前後方向に変えるラミネート装置。
【請求項５】
請求項２から４のいずれか１項記載のラミネート装置において、
上記分離開放手段が、上側紙葉体を上方に吸引する上部バキュームと、下側紙葉体を下方に吸引する下部バキュームと、を具備するラミネート装置。
【請求項６】
請求項２から５のいずれか１項記載のラミネート装置において、
上記加熱手段は、上記保護紙葉体を挟み込んだ上側紙葉体と下側紙葉体の搬送中に、上側紙葉体と下側紙葉体を加熱し溶着するラミネート装置。
【発明の詳細な説明】
【技術分野】
【０００１】
本発明は、一端が接続されている上側紙葉体と下側紙葉体とからなるラミネートフィルムの間に保護紙葉体を挿入する保護紙葉体のラミネートフィルムへの挿入方法と、この挿入方法を利用したラミネート装置に関する。
【背景技術】
【０００２】
この種の挿入作業は、例えばラミネート装置において不可欠である。ラミネート装置は、一端部を折り返しまたは接合したラミネートフィルム内に、保護すべき別の紙葉体（例えば通勤定期券）を挿入し、そのまま熱を加えて紙葉体の表裏にラミネートフィルムを貼着するものである。
【発明の開示】
【発明が解決しようとする課題】
【０００３】
ラミネート装置においては従来、ラミネートフィルム内への別の紙葉体の挿入作業は、手作業によって行われていたが、この挿入作業は面倒であり、迅速かつ正確に行うのは難しかった。
【０００４】
本発明の目的は、ラミネートフィルム内への保護紙葉体の挿入作業を自動的に迅速かつ正確に行うことができる保護紙葉体のラミネートフィルムへの挿入方法と、この挿入方法を利用したラミネート装置を提供することにある。
【課題を解決するための手段】
【０００５】
本発明の保護紙葉体のラミネートフィルムへの挿入方法は、前端が接続されている上側紙葉体と下側紙葉体とを有するラミネートフィルム内に、ラミネートフィルムとは別の保護紙葉体を挿入する方法であって、ラミネートフィルムの上側紙葉体と下側紙葉体の後端部を分離させて開く分離ステップ、開いた上側紙葉体と下側紙葉体との間に保護紙葉体の前方を挿入し、該保護紙葉体の後端部を露出させる挿入ステップ、保護紙葉体、上側紙葉体及び下側紙葉体の後端部を一緒に前方に押圧し、上側紙葉体と下側紙葉体の後端部を弾性変形させながら、少なくとも保護紙葉体の後端部が上側紙葉体と下側紙葉体の後端部より前方に位置するように挿入する押込ステップ、及び押込力を開放し、上側紙葉体と下側紙葉体を平面状態に弾性復帰させて保護紙葉体を該上側紙葉体と下側紙葉体との間に挟み込む挿入完了ステップ、を有することを特徴としている。
【０００６】
本発明のラミネート装置は、前端が接続されている上側紙葉体と下側紙葉体とを有するラミネートフィルムを前方に向けて搬送するラミネートフィルム搬送手段と、このラミネートフィルム搬送手段で搬送されるラミネートフィルムの前端部と係合し、該ラミネートフィルムの停止位置を定める停止手段と、上記停止位置で停止中のラミネートフィルムの上側紙葉体と下側紙葉体の後端部を分離して開く分離開放手段と、保護紙葉体を前方に向けて搬送し、上記停止位置で停止し後端部が分離して開いている上側紙葉体と下側紙葉体の間に該保護紙葉体の前部を挿入して後端部を露出させる紙葉体搬送手段と、上記停止位置で停止中の上側紙葉体、下側紙葉体及び保護紙葉体の後端部を一緒に前方に押圧し、上側紙葉体と下側紙葉体の後端部を弾性変形させながら、少なくとも保護紙葉体の後端部が上側紙葉体と下側紙葉体の後端部より前方に位置するように挿入する押込挿入手段と、上記押込挿入手段による押込力を開放し上側紙葉体と下側紙葉体を平面状態に復帰させた状態で、上記保護紙葉体を挟み込んだ上側紙葉体と下側紙葉体を加熱し溶着する加熱手段と、を備えることを特徴としている。
【０００７】
上記押込挿入手段は、ラミネートフィルム及び保護紙葉体の搬送平面に交わらずに直交する回転軸回りに回転可能であり、ラミネートフィルム及び保護紙葉体の後端部に接触する押圧面を具備する押込板を有する回転式押圧手段からなっているのが実際的である。
【０００８】
上記停止手段は、ラミネートフィルムの前後寸法に応じてラミネートフィルムの前端部との係合位置を前後方向に変えるのが好ましい。
【０００９】
上記分離開放手段が、上側紙葉体を上方に吸引する上部バキュームと、下側紙葉体を下方に吸引する下部バキュームと、を具備するのが実際的である。
【００１０】
上記加熱手段は、上記保護紙葉体を挟み込んだ上側紙葉体と下側紙葉体の搬送中に、上側紙葉体と下側紙葉体を加熱し溶着するのが好ましい。
【発明の効果】
【００１１】
本発明によると、ラミネートフィルム内への保護紙葉体の挿入作業を迅速かつ正確に行うことができ、ラミネート装置によって挿入作業を自動的に行うことが可能になる。
【発明を実施するための最良の形態】
【００１２】
以下、添付図面に基づいて本発明の一実施形態について説明する。
本実施形態のラミネート装置１０は、ラミネートフィルムＬＦによって保護紙葉体Ａを挟み、その状態でラミネートするものである。図１６及び図１７に示す保護紙葉体Ａは保護されるべき平面視方形のシート状のもの、例えば通常の紙材料からなる通勤定期券である。同じく図１６及び図１７に示す弾性材料からなるラミネートフィルムＬＦは、平面視で方形をなし、その上側紙葉体Ｆ１と下側紙葉体Ｆ２のそれぞれ対向する面に特殊な接着剤が塗布され、上側紙葉体Ｆ１及び下側紙葉体Ｆ２の前端同士が接続された透明又は半透明のパック式ラミネートフィルムである。この接着剤は通常状態では乾燥しており、保護紙葉体Ａを挟着した状態の上側紙葉体Ｆ１と下側紙葉体Ｆ２が熱圧着されて硬化するとき、上側紙葉体Ｆ１と下側紙葉体Ｆ２の周縁部（保護紙葉体Ａの外側）を互いに接着する（図１６は接着状態を示している）。図１６及び図１７に示すように、ラミネートフィルムＬＦは保護紙葉体Ａより前後寸法及び左右寸法が大きく、保護紙葉体ＡをラミネートフィルムＬＦの上側紙葉体Ｆ１及び下側紙葉体Ｆ２の間に挟むと、保護紙葉体ＡはラミネートフィルムＬＦの内部に完全に収納される。
【００１３】
ラミネート装置１０は以下のような構成となっている。
ラミネート装置１０のケース１２の後部壁１３（以下、図１の右側を「後方」とし、左側を「前方」として説明する。）の上端部には保護紙葉体挿入口１４が穿設されており、保護紙葉体挿入口１４の下方にはラミネートフィルム挿入口１５が穿設されている。ケース１２の前部壁１６には排出口１７が穿設されている。保護紙葉体挿入口１４には前側部分が下向きに傾斜するホッパー１９の前端部が挿入されており、ホッパー１９の前端部はケース１２の内部においてケース１２に固定されている。ホッパー１９の底板には、圧縮ばねの付勢力を利用して、載置された保護紙葉体Ａを上方に移動させることにより、保護紙葉体Ａを一枚ずつ後述するゴムローラ２３に供給する公知の自動供給装置（図示略）が設けられている。ホッパー１９の前端部は、ラミネート装置１０が載置された水平な床面と平行な水平案内板２０となっており、水平案内板２０の上面には、左右方向（図１の紙面に直交する方向）を向く回転軸２２回りに回転可能な円柱形状のゴムローラ２３の周面が回転可能に接触している。さらに、水平案内板２０の直上にはゴムローラ２３の直前に位置し水平案内板２０と平行な水平案内板２４が、水平案内板２０との間に保護紙葉体Ａが通過できる程度の隙間をもって配設されている。さらに、水平案内板２０と水平案内板２４の間には、接触することにより保護紙葉体Ａを検知する公知のマイクロスイッチＳＡが設けられている。水平案内板２０及び水平案内板２４の直前には、共に回転軸２６と回転軸２８が左右方向を向く円柱形状の送りローラ２７と送りローラ２９が上下一対として配設されており、送りローラ２７と送りローラ２９の周面は互いに回転可能に接触している。さらに、送りローラ２７及び送りローラ２９の前斜め下方には、共に回転軸３１と回転軸３２が左右方向を向く円柱形状の送りローラ３３と送りローラ３４が上下一対として配設されており、送りローラ３３と送りローラ３４の周面は互いに回転可能に接触している。
【００１４】
ラミネートフィルム挿入口１５には前側部分が下向きに傾斜するホッパー３６の前端部が挿入されており、ホッパー３６の前端部はケース１２の内部においてケース１２に固定されている。ホッパー３６の底板には、載置されたラミネートフィルムＬＦを一枚ずつ後述するゴムローラ４０に供給するための上記と同様の自動供給装置（図示略）が設けられている。ホッパー３６の前端部は前斜め上方に向かって延出する傾斜案内板３７となっており、傾斜案内板３７の上面には、左右方向を向く回転軸３９回りに回転可能な円柱形状のゴムローラ４０の周面が回転可能に接触している。傾斜案内板３７の直上にはゴムローラ４０の直前に位置し傾斜案内板３７と平行な傾斜案内板４２が、傾斜案内板３７との間にラミネートフィルムＬＦが通過できる程度の隙間をもって配設されている。さらに、傾斜案内板３７と傾斜案内板４２の間にはラミネートフィルムＬＦを検知可能なマイクロスイッチＳＢが設けられている。傾斜案内板３７及び傾斜案内板４２の直前には、共に回転軸４４と回転軸４５が左右方向を向く円柱形状の送りローラ４６と送りローラ４７が上下一対として配設されており、送りローラ４６と送りローラ４７の周面は互いに回転可能に接触している。さらに、送りローラ４６及び送りローラ４７の前斜め上方には、共に回転軸４９と回転軸５０が左右方向を向く円柱形状の送りローラ５１と送りローラ５２が上下一対として配設されており、送りローラ５１と送りローラ５２の周面は互いに回転可能に接触している。
【００１５】
送りローラ２７、送りローラ２９、送りローラ３３、送りローラ３４、送りローラ４６、送りローラ４７、送りローラ５１、送りローラ５２は全て、図示を省略した回転力伝達機構を介してパルスモータからなるモータＭ１と接続されており、さらにゴムローラ２３とゴムローラ４０は、両者の一方と選択的に連係する電磁クラッチ（図示略）を介してモータＭ１と接続している。モータＭ１が回転すると、送りローラ２７、送りローラ２９、送りローラ３３、送りローラ３４、送りローラ４６、送りローラ４７、送りローラ５１、送りローラ５２は図１及び図２に示した矢印方向に回転し、ゴムローラ２３とゴムローラ４０は電磁クラッチと繋がっている場合にのみ図１及び図２に示した矢印方向に回転する。
【００１６】
送りローラ３４と送りローラ５１の直前には、軸線が左右方向を向く略三角柱形状の案内部材５３が配設されており（図５と図６では案内部材５３を上下に分割して示している）、その上面は前下方に向かって傾斜する案内面５４をなし、その下面は前上方に向かって傾斜する案内面５５となっている。案内部材５３の前方には床面と水平な水平案内部５７と、水平案内部５７の後端から送りローラ３３側に向かって延出する傾斜案内部５８とを具備する上部案内部材５９が配設されている。傾斜案内部５８は案内面５４と平行であり、両者の間には保護紙葉体Ａが通過できる程度の隙間が形成されている。さらに、図６に示すように、水平案内部５７の前縁部には平面視方形の切欠６０が左右一対として設けられている。
案内部材５３の下方には、上部案内部材５９と上下対称形状をなす下部案内部材６３が配設されている。下部案内部材６３は、水平案内部５７と水平な水平案内部６１と、水平案内部６１の後端から送りローラ５２側に向かって延出する傾斜案内部６２とを具備している。傾斜案内部６２は案内面５５と平行であり、両者の間にはラミネートフィルムＬＦが通過できる程度の隙間が形成されている。さらに、図５に示すように、水平案内部６１には切欠６０と上下方向に対向する平面視方形の切欠６４が左右一対として設けられており、水平案内部５７と水平案内部６１の間には保護紙葉体Ａ及びラミネートフィルムＬＦが通過できる程度の隙間が形成されている。
【００１７】
水平案内部５７と水平案内部６１とには、両者の間を通過する保護紙葉体Ａ及びラミネートフィルムＬＦを検知可能なセンサＷＳが設けられている。このセンサＷＳは、マイクロスイッチと公知のフォトセンサの双方を具備するものである。マイクロスイッチは保護紙葉体Ａ及びラミネートフィルムＬＦを共に検知可能であり、フォトセンサは保護紙葉体Ａのみ検知可能（ラミネートフィルムＬＦは検知不能）である。従って、ラミネートフィルムＬＦがセンサＷＳを通過する場合はマイクロスイッチのみが検知反応を示し、保護紙葉体ＡがセンサＷＳを通過する場合はマイクロスイッチ及びフォトセンサが検知反応を示す。
【００１８】
水平案内部５７の直上には、左右方向を向く回転軸６５回りに回転可能な４つの円柱形状の送りローラ６６が配設されている。各送りローラ６６の下端部は切欠６０を通って水平案内部５７と水平案内部６１の隙間に位置している。水平案内部６１の直下には左右方向を向く回転軸６７回りに回転可能な４つの円柱形状の送りローラ６８が配設されている。左側の２つの送りローラ６８の上端部は左側の切欠６４を通って水平案内部５７と水平案内部６１の隙間に位置しており、右側の２つの送りローラ６８の上端部は右側の切欠６４を通して水平案内部５７と水平案内部６１の隙間に位置している。対向する送りローラ６６と送りローラ６８の周面同士は水平案内部５７と水平案内部６１の隙間において回転可能に接触しており、回転軸６５と回転軸６７は共にパルスモータからなるモータＭ２と図示を省略した回転力伝達機構を介して接続されており、モータＭ２を回転させると送りローラ６６と送りローラ６８は図１から図３に示した矢印方向に回転する。
水平案内板２０、ゴムローラ２３、水平案内板２４、送りローラ２７、送りローラ２９、送りローラ３３、送りローラ３４、案内面５４、上部案内部材５９、送りローラ６６、送りローラ６８、モータＭ１及びモータＭ２は紙葉体搬送手段の構成要素である。さらに、傾斜案内板３７、ゴムローラ４０、傾斜案内板４２、送りローラ４６、送りローラ４７、送りローラ５１、送りローラ５２、案内面５５、下部案内部材６３、送りローラ６６、送りローラ６８、モータＭ１及びモータＭ２はラミネートフィルム搬送手段の構成要素である。
【００１９】
送りローラ６８の前方には、図７に拡大して示すロータリープッシャー７０が配設されている。ロータリープッシャー７０は、左右方向を向く回転軸７１を中心とし、かつ、回転軸７１回りに回転可能な円柱形状の回転ローラ７２（回転体）と、回転ローラ７２に固着された左右一対の押込板７３と、回転ローラ７２及び押込板７３と一体をなす補強リブ７４とを具備している。押込板７３は、押込板７３と回転ローラ７２の接続部（固着部）における回転ローラ７２の母線及び径方向と平行である。押込板７３の前面は、上記固着部における回転ローラ７２の母線及び径方向と平行な押圧平面（押圧面）７７となっている。回転ローラ７２が図１、図２及び図４に示す状態から図７の矢印方向に回転すると、左右の押込板７３は左右の切欠６４及び切欠６０を通って水平案内部５７及び水平案内部６１の前方まで回転する。ロータリープッシャー７０の下方には左右方向を向く軸回りに回転可能な電磁ロータリーソレノイド７５が配設されており、電磁ロータリーソレノイド７５と回転ローラ７２には環状の無端ベルト７６が巻かれており、この無端ベルト７６を介して電磁ロータリーソレノイド７５の回転力が回転ローラ７２に伝達するようにしている。そして、これらロータリープッシャー７０、電磁ロータリーソレノイド７５、及び無端ベルト７６によって回転式押圧手段（押込挿入手段）が構成されている。
【００２０】
上部案内部材５９及び下部案内部材６３の直前には上下一対の上部バキューム７８（分離開放手段）と下部バキューム７９（分離開放手段）が、両者の間に保護紙葉体Ａ及びラミネートフィルムＬＦが通れる程度の隙間を形成しつつ配設されている。上部バキューム７８はその下面開口部から負圧を及ぼすことにより、その直下を通過するラミネートフィルムＬＦの上側紙葉体Ｆ１を吸着するものであり、下部バキューム７９はその上面開口部から負圧を及ぼすことにより、その直上を通過するラミネートフィルムＬＦの下側紙葉体Ｆ２を吸着するものである。
【００２１】
上部バキューム７８及び下部バキューム７９の前方には、床面と平行な水平案内板８１と水平案内板８２が上下一対として配設されており、水平案内板８１と水平案内板８２の間には保護紙葉体Ａを内包したラミネートフィルムＬＦが通過できる程度の隙間が形成されている。図１及び図３に示すように、保護紙葉体Ａ及びラミネートフィルムＬＦが挿入し易くするために、水平案内板８１の後端部は上向きに傾斜させてあり、水平案内板８２の後端部は下向きに傾斜させてある。図５に示すように、水平案内板８１には方形の貫通孔８３が穿設されており、水平案内板８１の前縁部には平面視凸形状の切欠８４が設けられている。一方、水平案内板８２の貫通孔８３と切欠８４と対向する位置には、貫通孔８３及び切欠８４と同一形状の貫通孔８６と切欠８７が設けられている。
【００２２】
貫通孔８６の直下には左右方向を向く回転軸９０、回転軸９１回りに回転可能な送りローラ９２、送りローラ９３が配設されており、送りローラ９２と送りローラ９３の上端部は貫通孔８６を通って水平案内板８１と水平案内板８２の隙間に位置している。切欠８７の直下には、左右方向を向く回転軸９４、回転軸９５回りに回転可能な送りローラ９６、送りローラ９７が配設されており、送りローラ９６と送りローラ９７の上端部は切欠８７を通って水平案内板８１と水平案内板８２の隙間に位置している。
さらに、送りローラ９２と送りローラ９３の間には、水平案内板８１及び水平案内板８２に対して直交し（上下方向及び左右方向と平行な）正面視凹形状のストッパ板（停止手段）９９が配設されている。このストッパ板９９はその直下に位置する電磁ソレノイド１００に接続されており、電磁ソレノイド１００の駆動力によって上下方向に移動可能である。常時は（電磁ソレノイド１００の消磁時は）ストッパ板９９の上端は貫通孔８６及び貫通孔８３を通って水平案内板８１の上方まで突出しており、電磁ソレノイド１００を励磁するとストッパ板９９が下降して、ストッパ板９９の上端が水平案内板８２の下方まで移動する。さらに、ストッパ板９９の後面には、水平案内板８１及び水平案内板８２の間においてラミネートフィルムＬＦの前端と接触することによりラミネートフィルムＬＦを検知するマイクロスイッチ（図示略）が設けられている。
【００２３】
貫通孔８３の直上には左右方向を向く回転軸１０８、回転軸１０９回りに回転可能な送りローラ１１０、送りローラ１１１が配設されており、送りローラ１１０と送りローラ１１１の下端部は貫通孔８３を通して水平案内板８１と水平案内板８２の隙間に位置している。切欠８４の直上には、左右方向を向く回転軸１１２、回転軸１１３回りに回転可能な送りローラ１１４、送りローラ１１５が配設されている。さらに、回転軸１０８、回転軸１０９、回転軸１１２、は共通の電磁ソレノイド１１７に接続されている。常時は（電磁ソレノイド１１７の消磁時は）送りローラ１１０、送りローラ１１１、及び送りローラ１１４の下端部は、貫通孔８３及び切欠８４を通って水平案内板８１と水平案内板８２の隙間に位置し、送りローラ９２、送りローラ９３、送りローラ９６の周面上端部とそれぞれ回転可能に接触している。電磁ソレノイド１１７を励磁すると、各送りローラ１１０、送りローラ１１１、及び送りローラ１１４が貫通孔８３及び切欠８４を通って上昇し、各送りローラ１１０、送りローラ１１１、及び送りローラ１１４の下端は水平案内板８１の上方まで移動する（送りローラ９２、送りローラ９３、送りローラ９６と離間する）。送りローラ１１５の下端部は常に切欠８４を通って水平案内板８１と水平案内板８２の隙間に位置し、送りローラ９７の周面上端部と回転可能に接触している。
送りローラ９２、送りローラ９３、送りローラ９６、送りローラ１１０、送りローラ１１１、送りローラ１１４、は全て図示を省略した回転力伝達機構を介してパルスモータからなるモータＭ３に接続されており、モータＭ３を回転させると送りローラ９２、送りローラ９３、送りローラ９６、送りローラ１１０、送りローラ１１１、送りローラ１１４が図１及び図３の矢印方向に回転する。
【００２４】
水平案内板８１及び水平案内板８２の直前には床面と平行な上下一対のヒータ１１８、ヒータ１１９（加熱手段）が配設されており、ヒータ１１８とヒータ１１９の間には保護紙葉体Ａを内包したラミネートフィルムＬＦが通過できる程度の隙間が形成されている。
さらに、ヒータ１１８及びヒータ１１９の前端部と排出口１７の間には、左右方向を向く回転軸１２０、回転軸１２１回りに回転可能な送りローラ１２２、送りローラ１２３が上下一対として配設されており、送りローラ１２２と送りローラ１２３の周面は互いに回転可能に接触している。
送りローラ９７、送りローラ１１５、送りローラ１２２、及び送りローラ１２３は全て図示を省略した回転力伝達機構を介してパルスモータからなるモータＭ４に接続されており、モータＭ４を回転させると送りローラ９７、送りローラ１１５、送りローラ１２２、及び送りローラ１２３が図１及び図３の矢印方向に回転する。
【００２５】
図１、図２及び図１５に示すように、ケース１２の上面にはメインスイッチＭＳが設けられている。図１５に示すように、メインスイッチＭＳはケース１２内に設けられたＣＰＵによって構成される制御部Ｃに電気的に接続されている。さらに、この制御部Ｃには、モータＭ１、モータＭ２、モータＭ３、モータＭ４、センサＳＡ、センサＳＢ、センサＷＳ、上部バキューム７８、下部バキューム７９、電磁ロータリーソレノイド７５、電磁ソレノイド１００、電磁ソレノイド１１７、及び上記マイクロスイッチ（ストッパ板９９に設けられたマイクロスイッチ）が電気的に接続されている。
後述するように各モータＭ１〜Ｍ４は、制御部Ｃがパルス数を管理しながら送信するパルス信号によって回転制御される。
【００２６】
次に、以上の構成からなるラミネート装置１０を用いたラミネート動作について説明する。
まずホッパー３６に、その閉塞端（折り返し部）が前方に位置し、開放端が後方に位置する複数のラミネートフィルムＬＦを、上下方向に積み重ねた状態で載置し、ホッパー１９には、複数の保護紙葉体Ａを上下方向に積み重ねた状態で載置する。
この状態でメインスイッチＭＳをＯＮにすると、モータＭ１、モータＭ３、及びモータＭ４が回転し、上記電磁クラッチがゴムローラ４０と繋がり、上部バキューム７８と下部バキューム７９が吸引動作を開始する。
【００２７】
モータＭ１の回転に伴ってゴムローラ４０、送りローラ２７、送りローラ２９、送りローラ３３、送りローラ３４、送りローラ４６、送りローラ４７、送りローラ５１、送りローラ５２が図１から図３の矢印方向に回転し、さらにホッパー３６に設けられた上記自動供給装置によって最上部に位置する１枚目のラミネートフィルムＬＦの前端部がゴムローラ４０と傾斜案内板３７の間に自動的に送られる。従って、ゴムローラ４０の回転力によって１枚目のラミネートフィルムＬＦが前方に送られる。そして、１枚目のラミネートフィルムＬＦが送りローラ４６と送りローラ４７に挟まれた後に、センサＳＢが１枚目のラミネートフィルムＬＦの後端を検知すると、制御部Ｃが上記電磁クラッチをゴムローラ２３側に繋ぎゴムローラ２３を回転させ（ゴムローラ４０側との連係を解除しゴムローラ４０を停止させ）、さらに所定時間（第１の所定時間）経過後にモータＭ２を回転させる。すると、ホッパー１９の上記自動供給装置によって最上部に位置する１枚目の保護紙葉体Ａがゴムローラ２３と水平案内板２０の間に自動的に送られ、ゴムローラ２３によって前方に搬送される。
【００２８】
電磁クラッチとゴムローラ４０の連係が遮断される前に、１枚目のラミネートフィルムＬＦは送りローラ４６と送りローラ４７の間、及び送りローラ５１と送りローラ５２の間に挟まれる。従ってこの連係が遮断されても、１枚目のラミネートフィルムＬＦは送りローラ４６、送りローラ４７、送りローラ５１、及び送りローラ５２の回転力及び慣性力によって、案内部材５３の案内面５５と傾斜案内部６２の間に送られ、その前端が停止中（回転前）の送りローラ６６及び送りローラ６８に当接することによって停止する。
【００２９】
１枚目のラミネートフィルムＬＦの前端が送りローラ６６、６８に当接して停止するまでに、１枚目のラミネートフィルムＬＦの前端がセンサＷＳによって検知される。すると、制御部Ｃは所定時間経過後（１枚目の保護紙葉体Ａが送りローラ２７と送りローラ２９に挟まれた後）にモータＭ１を停止させ、１枚目の保護紙葉体Ａの前方移動を、保護紙葉体Ａの後端がセンサＳＡによって検知される前に停止させる。
図１８に示すように、１枚目のラミネートフィルムＬＦの前端が停止中（回転前）の送りローラ６６及び送りローラ６８に当接すると、図１８の実線で示すように、ラミネートフィルムＬＦの前端全体が送りローラ６６及び送りローラ６８の周面に接触する。従って、図１８の仮想線で示すように仮にラミネートフィルムＬＦが搬送方向（前後方向）に対して傾斜していても、この接触によってラミネートフィルムＬＦは前後方向を向くようになる（ラミネートフィルムＬＦの前端が左右方向を向く）。
【００３０】
この後（上記第１の所定時間経過後）にモータＭ２が回転し送りローラ６６及び送りローラ６８が回転すると、送りローラ６６及び送りローラ６８の回転力によってラミネートフィルムＬＦはさらに前方に送られる（図８参照）。１枚目のラミネートフィルムＬＦが水平案内板８１及び水平案内板８２の後端間から水平案内板８１及び水平案内板８２の間に、上部バキューム７８及び下部バキューム７９から負圧を受けながら入り、送りローラ１１０及び送りローラ９２に挟まれながら送りローラ１１０及び送りローラ９２の回転力によってさらに前方に移動すると、１枚目のラミネートフィルムＬＦの前端が、水平案内板８１及び水平案内板８２の間に位置しているストッパ板９９の後面に当接し、１枚目のラミネートフィルムＬＦの前方移動が妨げられ停止する（このときのラミネートフィルムＬＦの位置が停止位置）。
【００３１】
このとき、１枚目のラミネートフィルムＬＦの前端がストッパ板９９の後面に設けられた上記マイクロスイッチに接触するので、制御部ＣがモータＭ１の回転再開と、モータＭ２及びモータＭ３の回転停止と、電磁ソレノイド１１７の励磁を同時に行う。
モータＭ３が回転停止し、さらに電磁ソレノイド１１７が励磁され送りローラ１１０、送りローラ１１１、及び送りローラ１１４が上昇して送りローラ９２、送りローラ９３、及び送りローラ９６（及びラミネートフィルムＬＦ）から離間すると、１枚目のラミネートフィルムＬＦの前方移動力が喪失する。そして、１枚目のラミネートフィルムＬＦの上側紙葉体Ｆ１に上部バキューム７８から負圧が掛かっており、下側紙葉体Ｆ２に下部バキューム７９から負圧が掛かっているので、図９に示すように、上側紙葉体Ｆ１の後端部は上部バキューム７８に吸引され、下側紙葉体Ｆ２の後端部は下部バキューム７９に吸引され、結果的に、１枚目のラミネートフィルムＬＦの後端部は略Ｖ字状に開放され、１枚目のラミネートフィルムＬＦの後端部に挿入用開口（後端開放部）が形成される。
【００３２】
モータＭ１が回転を再開すると、１枚目の保護紙葉体Ａは、送りローラ２７と送りローラ２９の間、及び送りローラ３３と送りローラ３４の間に挟まれつつ、送りローラ２７、送りローラ２９、送りローラ３３、及び送りローラ３４の回転力によって案内部材５３の案内面５４と傾斜案内部５８の間に送られ、さらに水平案内部５７と水平案内部６１の間に送られる。この際、センサＳＡが保護紙葉体Ａの後端を検知すると、制御部Ｃが上記電磁クラッチをゴムローラ４０に繋ぐ（ゴムローラ２３側との連係を解除しゴムローラ２３を停止させ）、２枚目のラミネートフィルムＬＦを前方に搬送し、かつ、所定時間（第２の所定時間）経過後にモータＭ２を再び回転させる。
電磁クラッチとゴムローラ２３の連係が遮断されても、１枚目の保護紙葉体Ａはこの連係が遮断される前に送りローラ２７と送りローラ２９の間、送りローラ３３と送りローラ３４の間に挟まれるので、１枚目の保護紙葉体Ａは送りローラ２７、送りローラ２９、送りローラ３３、及び送りローラ３４の回転力及び慣性力によって、案内部材５３の案内面５４と傾斜案内部５８の間に送られ、その前端が停止中（回転前）の送りローラ６６及び送りローラ６８に当接ことによって停止する。
【００３３】
１枚目の保護紙葉体Ａの前端が停止中（回転前）の送りローラ６６及び送りローラ６８に当接すると、ラミネートフィルムＬＦの場合と同様に、保護紙葉体Ａの前端全体が送りローラ６６及び送りローラ６８の周面に接触するので、仮に保護紙葉体Ａが搬送方向（前後方向）に対して傾斜していても、この接触によって前後方向を向くようになる（保護紙葉体Ａの前端が左右方向を向く）。
【００３４】
この後（上記所定時間経過後）にモータＭ２によって送りローラ６６及び送りローラ６８が回転すると、１枚目の保護紙葉体Ａは送りローラ６６と送りローラ６８の回転力によって前方に送られ、１枚目のラミネートフィルムＬＦの後端の開放端部からこのラミネートフィルムＬＦ内に挿入される。そして、１枚目の保護紙葉体Ａが送りローラ６６及び送りローラ６８の前方に移動してローラ６６及び送りローラ６８からの走行力を失うと、１枚目の保護紙葉体Ａはその後端部が僅かに（例えば５ｍｍ程度）ラミネートフィルムＬＦの後端より後方に突出（露出）した状態で前方移動を停止する。
さらに、１枚目の保護紙葉体Ａの後端部がセンサＷＳを通過すると、センサＷＳがこれを検知し、１枚目の保護紙葉体Ａの後端部が送りローラ６６及び送りローラ６８を通過した後に、制御部ＣがモータＭ１の回転を停止させ、２枚目のラミネートフィルムＬＦを、その後端部がセンサＳＢに達する前に停止させる。
【００３５】
このように１枚目の保護紙葉体Ａが停止すると、制御部Ｃが電磁ロータリーソレノイド７５を励磁する。電磁ロータリーソレノイド７５が図９の矢印方向に回転すると、図８及び図９に示すように、常時は水平案内部６１の下方に位置する押込板７３の先端部が切欠６４及び切欠６０を通って前方（図７の矢印方向）に回転する。そして、図１０、図１３及び図１４に示すように、押込板７３の押圧平面７７が上側紙葉体Ｆ１の後端部と下側紙葉体Ｆ２の後端部を弾性変形させながら、保護紙葉体Ａの後端に当接し、保護紙葉体Ａを前方に向かって押し込む。電磁ロータリーソレノイド７５が前方の回転端まで回転すると制御部Ｃによって電磁ロータリーソレノイド７５が消磁（非通電）され、電磁ロータリーソレノイド７５は後方に向かって回転し初期位置に復帰する。すると、図１１及び図１４の仮想線に示すように、押込板７３（押圧平面７７）がラミネートフィルムＬＦ及び保護紙葉体Ａから離間するので、上側紙葉体Ｆ１及び下側紙葉体Ｆ２は元の状態に弾性復帰し、保護紙葉体Ａの後端がラミネートフィルムＬＦの後端より前方に位置し、保護紙葉体ＡがラミネートフィルムＬＦに完全に収納される。
【００３６】
さらに、押込板７３の押圧平面７７が、押込板７３と回転ローラ７２の接続部（固着部）における回転ローラ７２の母線及び径方向と平行な平面であり、回転軸７１は左右方向を向いているので、左右の押圧平面７７がラミネートフィルムＬＦの後端及び保護紙葉体Ａの後端を前方に押圧すると、ラミネートフィルムＬＦ及び保護紙葉体Ａの向きが修正される。即ち図１９の仮想線に示すように、仮に押圧前はラミネートフィルムＬＦが正確に前後方向を向いていなくても、図１９の実線で示すように押圧後はラミネートフィルムＬＦの前端がストッパ板９９の後面に当接するので、ラミネートフィルムＬＦは正確に前後方向を向くように（ラミネートフィルムＬＦの前端及び後端が左右方向を向くように）なる。さらに、図示は省略してあるが、仮に押圧前は保護紙葉体Ａが正確に前後方向を向いていなくても、押圧後は保護紙葉体Ａの前端がラミネートフィルムＬＦの内部において、互いに密接している上側紙葉体Ｆ１の内面と下側紙葉体Ｆ２の内面の前端近傍（前端接合部から接着代分だけ後方に離れた位置）に当接するので、正確に前後方向を向くように（保護紙葉体Ａの前端及び後端が左右方向を向くように）なる。即ち、ロータリープッシャー７０は保護紙葉体Ａの押し込み機能だけでなく、ラミネートフィルムＬＦ及び保護紙葉体Ａの方向修正機能を有している。
【００３７】
電磁ロータリーソレノイド７５が初期位置に復帰すると、制御部Ｃは電磁ソレノイド１００を励磁し、電磁ソレノイド１１７を消磁し、モータＭ２を停止させ、かつ、モータＭ１及びモータＭ３を再び回転させる。すると、ストッパ板９９が下降してその上端が水平案内板８２の下方に位置し、送りローラ１１０、送りローラ１１１、及び送りローラ１１４が貫通孔８３及び切欠８４を通って下降して送りローラ９２、送りローラ９３、及び送りローラ９６とそれぞれ接触し、これら送りローラ１１０、１１１、１１４、９２、９３、９６がモータＭ３の駆動力によって図１及び図３の矢印方向に回転する。すると、保護紙葉体Ａを内包した１枚目のラミネートフィルムＬＦが送りローラ１１０と送りローラ９２、送りローラ１１１と送りローラ９３、及び送りローラ１１４と送りローラ９６によって挟持されるので、送りローラ１１０、送りローラ９２、送りローラ１１１、送りローラ９３、送りローラ１１４、送りローラ９６の回転力が１枚目のラミネートフィルムＬＦに伝わり、１枚目のラミネートフィルムＬＦは前方に送られる。さらに、１枚目のラミネートフィルムＬＦは、モータＭ４の駆動力を受けて回転している送りローラ１１５と送りローラ９７の間に挟まれて、送りローラ１１５と送りローラ９７の回転力によってヒータ１１８とヒータ１１９の間に送られ、ヒータ１１８とヒータ１１９によって加熱されながら圧着される（図１２参照）。すると、保護紙葉体Ａを挟着した状態で上側紙葉体Ｆ１と下側紙葉体Ｆ２の周辺部同士が互いに接着され、保護紙葉体ＡがラミネートフィルムＬＦによってラミネートされる。ヒータ１１８とヒータ１１９の間を通過した１枚目のラミネートフィルムＬＦは、モータＭ４の駆動力を受けて回転している送りローラ１２２と送りローラ１２３の間に挟まれ、送りローラ１２２と送りローラ１２３の回転力によって前方に送られ、排出口１７からケース１２の外部に排出される。
【００３８】
さらに上述のようにモータＭ１が再び回転するので、２枚目のラミネートフィルムＬＦがゴムローラ４０、送りローラ４６、送りローラ４７、送りローラ５１、及び送りローラ５２によって前方に搬送され、センサＳＢが２枚目のラミネートフィルムＬＦの後端部を検知すると、上記電磁クラッチがゴムローラ２３と繋がり（ゴムローラ４０との連係を遮断し）、２枚目の保護紙葉体Ａがゴムローラ２３によって前方に搬送される。
２枚目のラミネートフィルムＬＦ及び２枚目の保護紙葉体Ａはこの後、１枚目のラミネートフィルムＬＦ及び１枚目の保護紙葉体Ａと同様の手順で前方に搬送され、２枚目の保護紙葉体Ａが２枚目のラミネートフィルムＬＦによってラミネートされる。さらに、３枚目、４枚目・・・のラミネートフィルムＬＦ及び保護紙葉体Ａが同様の手順によって順次前方に送られ、保護紙葉体ＡがラミネートフィルムＬＦによってラミネートされる。
【００３９】
以上説明したように本実施形態のラミネート装置１０によれば、電磁ロータリーソレノイド７５によって回転させられる押込板７３によって、迅速かつ確実に保護紙葉体ＡをラミネートフィルムＬＦ内に自動的に押し込むことができる。従って、ラミネート作業を迅速かつ正確に行うことが可能になる。
【００４０】
上記実施形態では、回転式押圧手段としてロータリープッシャー７０を用いたが、上側紙葉体Ｆ１及び下側紙葉体Ｆ２の後端部を弾性変形させながら保護紙葉体Ａを前方に押し込めるものであれば上記以外の構成のものを用いてもよい。
さらに、ストッパ板９９以外のストッパ板をストッパ板９９とは前後位置をずらして設け（各ストッパ板の後面には上記マイクロスイッチが設けてある）、各ストッパ板に電磁ソレノイドを接続し、この電磁ソレノイドを制御部Ｃと電気的に接続し、かつ、ケース１２に使用するラミネートフィルムの前後寸法を入力する公知のキーボードを設ければ、本ラミネート装置１０によって上記ラミネートフィルムＬＦとは前後寸法が異なるラミネートフィルムをラミネートできるようになる。
【図面の簡単な説明】
【００４１】
【図１】本発明の一実施形態のラミネート装置の内部機構を模式的に示す側面図である。
【図２】ラミネート装置の内部機構の右半分を示す側面図である。
【図３】ラミネート装置の内部機構の左半分を示す側面図である。
【図４】ラミネート装置の内部機構の要部を示す拡大側面図である。
【図５】ラミネートフィルム搬送手段及びラミネート体搬送手段の斜視図である。
【図６】紙葉体搬送手段及びラミネート体搬送手段の斜視図である。
【図７】ロータリープッシャーと電磁ロータリーソレノイドの斜視図である。
【図８】ラミネートフィルムの前方移動がストッパ板によって停止させられた状態を示す側面図である。
【図９】紙葉体搬送手段によって保護紙葉体の後端部を除く部分がラミネートフィルム内に挿入された状態を示す側面図である。
【図１０】ロータリープッシャーによって保護紙葉体がラミネートフィルム内に完全に挿入された状態を示す側面図である。
【図１１】ラミネート体搬送手段の上側のローラが降下して下側のローラとの間でラミネートフィルム及び保護紙葉体を挟持した状態を示す側面図である。
【図１２】ラミネート体搬送手段によってラミネートフィルム及び保護紙葉体をヒーター側に搬送する状態を示す側面図である。
【図１３】ロータリープッシャーによって保護紙葉体がラミネートフィルム内に完全に挿入される様子を示す拡大側面図である。
【図１４】ラミネートフィルム及び保護紙葉体の後端部の拡大平面図である。
【図１５】ラミネート装置の制御部と、制御部に電気的に接続された部材を示す概念図である。
【図１６】ラミネートフィルムの間に保護紙葉体を挟んでラミネートした状態を示す平面図である。
【図１７】ラミネートフィルムの間に保護紙葉体を挟んだ状態を示す側面図である。
【図１８】ラミネートフィルムが停止中の送りローラに接触することにより、その向きが修正されることを説明するための平面的に視た模式図である。
【図１９】保護紙葉体が押込板によって押し込まれることにより、その向きが修正されることを説明するための平面的に視た模式図である。
【符号の説明】
【００４２】
１０    ラミネート装置
１２    ケース
１３    後部壁
１４    保護紙葉体挿入口
１５    ラミネートフィルム挿入口
１６    前部壁
１７    排出口
１９    ホッパー
２０    水平案内板
２２    回転軸
２３    ゴムローラ
２４    水平案内板
２６    回転軸
２７    送りローラ
２８    回転軸
２９    送りローラ
３１  ３２  回転軸
３３  ３４  送りローラ
３６    ホッパー
３７    傾斜案内板
３９    回転軸
４０    ゴムローラ
４２    傾斜案内板
４４  ４５  回転軸
４６  ４７  送りローラ
４９  ５０  回転軸
５１  ５２  送りローラ
５３    案内部材
５４  ５５  案内面
５７    水平案内部
５８    傾斜案内部
５９    上部案内部材
６０    切欠
６１    水平案内部
６２    傾斜案内部
６３    下部案内部材
６４    切欠
６５    回転軸
６６    送りローラ
６７    回転軸
６８    送りローラ
７０    ロータリープッシャー（回転式押圧手段）
７１    回転軸（回転式押圧手段）
７２    回転ローラ（回転体）（回転式押圧手段）
７３    押込板（回転式押圧手段）
７４    補強リブ（回転式押圧手段）
７５    電磁ロータリーソレノイド（回転式押圧手段）
７６    無端ベルト（回転式押圧手段）
７７    押圧平面（押圧面）
７８    上部バキューム（分離開放手段）
７９    下部バキューム（分離開放手段）
８１  ８２    水平案内板
８３    貫通孔
８４    切欠
８６    貫通孔
８７    切欠
９０  ９１  回転軸
９２  ９３  送りローラ
９４  ９５  回転軸
９６  ９７  送りローラ
９９    ストッパ板（停止手段）
１００  電磁ソレノイド
１０８  １０９  回転軸
１１０  １１１  送りローラ
１１２  １１３  回転軸
１１４  １１５  送りローラ
１１７  電磁ソレノイド
１１８  １１９  ヒータ（加熱手段）
１２０  １２１  回転軸
１２２  １２３  送りローラ
Ａ      保護紙葉体
Ｂ１  Ｂ２  Ｂ３  キーボード
Ｃ      制御部（ＣＰＵ）
ＤＭ    移動機構
Ｆ１    上側紙葉体
Ｆ２    下側紙葉体
ＬＦ    ラミネートフィルム
Ｍ１  Ｍ２  Ｍ３  Ｍ４  モータ
ＭＳ    メインスイッチ
ＳＡ    センサ（マイクロスイッチ）
ＳＢ    センサ（マイクロスイッチ）
ＷＳ    センサ（フォトセンサ及びマイクロスイッチ）
【図１】
2006160429.tif 000003
【図２】
2006160429.tif 000004
【図３】
2006160429.tif 000005
【図４】
2006160429.tif 000006
【図５】
2006160429.tif 000007
【図６】
2006160429.tif 000008
【図７】
2006160429.tif 000009
【図８】
2006160429.tif 000010
【図９】
2006160429.tif 000011
【図１０】
2006160429.tif 000012
【図１１】
2006160429.tif 000013
【図１２】
2006160429.tif 000014
【図１３】
2006160429.tif 000015
【図１４】
2006160429.tif 000016
【図１５】
2006160429.tif 000017
【図１６】
2006160429.tif 000018
【図１７】
2006160429.tif 000019
【図１８】
2006160429.tif 000020
【図１９】
2006160429.tif 000021